(57)【特許請求の範囲】
【請求項１】
機器を挿入する開口を中央部に形成した平板状の取付板と機器とによって、前記機器の取付用開口を形成した天井を挟持し、前記取付板は、外周端部と前記開口との間をつなぐ切込み部が形成され、前記切込み部を形成する切込み端部どうしを引き離して一方の切込み端部から、前記天井の取付用開口に挿入して、前記天井の上面に載置される構成とし、前記取付板の開口の内周端縁に突出部を設けたものであって、前記切込み部を前記取付板の上下の厚み内で段差状に形成し、前記切込み端部どうしが上下に重なる構成とした機器の取付装置。
【発明の詳細な説明】
【技術分野】
【０００１】
本発明は、機器を天井に取付ける天井埋込型機器の取付装置に関する。
【背景技術】
【０００２】
近年、建物の天井内に埋め込み天井面に機器を取付けることが普及しており、機器を取り付けるために天井の取付用開口を簡単に補強できる施工性の良い機器の取付装置の要求が高まってきている。
【０００３】
従来、この種の取付装置として、特許文献１に開示するものが知られていた。
【０００４】
以下、その構成について図１１および図１２を参照にしながら説明する。
【０００５】
図に示すように、中央部に穴１０１ａが形成された平板状のはさみ金具１０１を、その穴１０１ａを挟んで両側にヒンジ部１０２を形成して２つに折り畳み自在に設け、このはさみ金具１０１を２つに折り畳んで、天井１０４に形成した機器配設用の埋込穴１０３に下方から挿入して、天井１０４の上面で広げ、埋込穴１０３の切り口に沿って仮止め片１０５を折り曲げてはさみ金具１０１を埋込穴１０３に仮止めする。
【０００６】
そして、中央部に開口部１０７ａが形成され機器（図示せず）を装着する基台１０７を、取付ねじ１０６をはさみ金具１０１のねじ穴１０１ｂに螺着して締め付け、基台１０７のフランジ部１０７ｂとはさみ金具１０１とで天井１０４を挟持することで、機器を装着する基台１０７が天井１０４の埋込穴１０３に配設されていた。
【先行技術文献】
【特許文献】
【０００７】
【特許文献１】実開平５−１１７１８号公報（段落０００６〜段落０００９、図１および図３（ｂ））
【発明の概要】
【発明が解決しようとする課題】
【０００８】
このような従来の天井埋込型器具の取付装置においては、はさみ金具１０１は折り畳むためのヒンジ部１０２を形成しなければならないので構成が複雑となり、また、施工時にはさみ金具１０１を埋込穴１０３に挿入した後、天井１０４の上面で広げなければならないので施工性が悪いという課題があった。
【０００９】
本発明は、このような従来の課題を解決するもので、天井埋込型機器の取付けられる天井の取付用開口の周辺上面に設けられる取付装置にあって、簡単な構成で、この取付用開口の周辺を補強できるとともに施工性の良い取付装置を提供することを目的とする。
【課題を解決するための手段】
【００１０】
そして、この目的を達成するために、本発明の天井取付型機器の取付装置は、機器を挿入する開口を中央部に形成した平板状の取付板と機器とによって、前記機器の取付用開口を形成した天井を挟持する取付装置であって、前記取付板は、外周端部と前記開口との間をつなぐ切込み部が形成され、前記切込み部を形成する切込み端部どうしを引き離して一方の切込み端部から、前記天井の取付用開口に挿入して、前記天井の上面に載置される構成としたものであり、これにより所期の目的を達成するものである。
【発明の効果】
【００１１】
本発明によれば、機器を挿入する開口を中央部に形成した平板状の取付板は、外周端部と開口との間をつなぐ切込み部が形成され、この切込み部を形成する切込み端部どうしを引き離して一方の切込み端部から、天井の取付用開口に挿入して、天井の上面に載置される構成としたことにより、簡単な構成で天井の取付用開口の周辺を補強できるとともに、施工性が向上するという効果のある機器の取付装置を提供する効果を得ることができる。
【図面の簡単な説明】
【００１２】
【図１】本発明の実施の形態１の天井取付型機器の取付装置による機器設置断面図
【図２】同取付装置の取付板を示す斜視図
【図３】同取付板の天井の取付用開口への挿入開始時を示す斜視図
【図４】同取付板の同取付用開口への挿入途中を示す斜視図
【図５】同取付板の同取付用開口への挿入完了時を示す斜視図
【図６】同取付板の天井上面への固定状態を示す斜視図
【図７】本発明の実施の形態２の取付装置の取付板を示す斜視図
【図８】同取付板の天井上面への固定状態を示す断面図
【図９】本発明の実施の形態３の取付装置の取付板を示す斜視図
【図１０】同取付板の天井上面への固定状態を示す斜視図
【図１１】従来の埋込器具の取付装置の施工状態を示す斜視図
【図１２】同取付装置の天井への設置状態を示す断面図
【発明を実施するための形態】
【００１３】
本発明の天井取付型機器の取付装置は、機器を挿入する開口を中央部に形成した平板状の取付板と機器とによって、前記機器の取付用開口を形成した天井を挟持する取付装置であって、前記取付板は、外周端部と前記開口との間をつなぐ切込み部が形成され、前記切込み部を形成する切込み端部どうしを引き離して一方の切込み端部から、前記天井の取付用開口に挿入して、前記天井の上面に載置される構成としたものであり、取付板を一方の切込み端部から取付用開口に挿入し、取付用開口の空間で回転させながらもう一方の端部まで挿入するだけで、取付板は天井の上面に載置でき、簡単な構成で天井の取付用開口の周辺を補強できるとともに、施工性が向上するという効果を奏する。
【００１４】
また、取付板の開口の内周端縁に突出部を設けたものであり、取付板の天井裏への挿入後の位置合わせが、突出部と天井の取付用開口の位置を合わせることで容易に行え、施工性がさらに向上する。
【００１５】
また、前記切込み部を段差状に形成し、前記切込み端部どうしが重なる構成としたものであり、取付板を天井にねじで固定する際に、ねじが切込み部に螺入されても、重なる切込み端部に螺入されることとなり、ねじの螺入される位置にかかわりなく、取付板を天井に確実に固定できる。
【００１８】
以下、本発明の実施の形態について図１〜図１０を参照しながら説明する。
【００１９】
（実施の形態１）
図１に示すように、天井１における機器２の取付用開口３を形成した箇所の上面４に、取付用開口３とほぼ同じ大きさの開口６を中央部に形成した可撓性の平板からなる取付板５を載置し、この取付板５と機器２とによって天井１を挟持する状態で、ねじ１３を、天井１を貫通して取付板５にねじ締めすることによって、機器２を天井１に取り付ける取付装置９を構成している。
【００２０】
図２に示すように、取付板５は、外周端部７と開口６との間をつなぐ切込み部８が形成されている。すなわち、切込み部８は切込み端部１０，１１どうしが当接した状態で形成されており、切込み端部１０，１１は引き離すことができる。
【００２１】
上記構成の取付板５を天井１の上面に載置する時は、図３に示すように、切込み部８の一方の切込み端部１０をもう一方の切込み端部１１から引き離して、天井１の取付用開口３に室内側から天井裏へ挿入し、図４に示すように、取付用開口３の空間で回転させながら挿入していき、もう一方の切込み端部１１が取付用開口３を通過して挿入を終えると、図５に示すように、取付板５は天井１の上面４に載置された状態となる。
【００２２】
そして、図６に示すように、取付板５は、天井１に室内側からねじ１２でねじ締めすることによって固定され、天井１の取付用開口３の周辺を補強する。
【００２３】
このように、本実施の形態１の天井埋込型機器の取付装置によれば、取付装置９を構成する取付板５が、中央部に開口６を形成した平板状で、この開口６と外周端部７との間をつなぐ切込み部８を形成した簡単な構成で、天井１の取付用開口３の周辺を補強できるとともに、その天井１の上面への載置も、切込み部８の一方の切込み端部１０から天井１の取付用開口３に挿入していくだけで完了し、機器２の設置における施工性が向上することとなる。
【００２４】
（実施の形態２）
本発明の実施の形態２の天井取付型機器の取付装置は、図７および図８に示すように、上記の実施の形態１の天井取付型機器の取付装置に対し、取付板５Ａの開口６Ａの内周端縁１４に、下方へ突出する突出部１５を設けた点に特徴がある。
【００２５】
上記構成により、取付板５Ａを実施の形態１と同様に天井１の取付用開口３に挿入していき、天井１の上面４に載置したら、下方へ突出した突出部１５を天井１の取付用開口３に当接させて、取付板５Ａの取付用開口３に対する位置合わせを、容易かつ正確に行うことができる。
【００２６】
（実施の形態３）
本発明の実施の形態３の天井取付型機器の取付装置は、図９および図１０に示すように、上記の実施の形態１の天井取付型機器の取付装置に対し、取付板５Ｂの切込み部８Ａを段差状に形成し、切込み端部１０Ａ、１１Ａが上下に重なる構成とした点に特徴がある。
【００２７】
上記構成により、取付板５Ｂを天井１にねじ１２で固定する際に、ねじ１２の位置が切込み部８Ａの位置になったとしても、切込み端部１０Ａ，１１Ａの少なくとも一方にはねじ１２が螺入されることとなり、ねじ１２の螺入される位置にかかわりなく、取付板５Ｂを天井１に確実にしっかりと固定することができる。
【産業上の利用可能性】
【００２８】
本発明に係る天井埋込型機器の取付装置は、簡単な構成で施工性良く機器を設置でき、天井裏に埋め込み天井に取り付ける機器の設置に広く適用できる。
【符号の説明】
【００２９】
１      天井
２      機器
３      取付用開口
４      上面
５      取付板
５Ａ    取付板
５Ｂ    取付板
６      開口
６Ａ    開口
７      外周端部
８      切込み部
８Ａ    切込み部
９      取付装置
１０    切込み端部
１０Ａ  切込み端部
１１    切込み端部
１１Ａ  切込み端部
１４    内周端縁
１５    突出部
【図１】
0005412998.tif 000002
【図２】
0005412998.tif 000003
【図３】
0005412998.tif 000004
【図４】
0005412998.tif 000005
【図５】
0005412998.tif 000006
【図６】
0005412998.tif 000007
【図７】
0005412998.tif 000008
【図８】
0005412998.tif 000009
【図９】
0005412998.tif 000010
【図１０】
0005412998.tif 000011
【図１１】
0005412998.tif 000012
【図１２】
0005412998.tif 000013